(57)【特許請求の範囲】
【請求項１】
隣接して配置される、第１表示部及び第２表示部と、
操作を検出する操作検出部と、
所定の画像情報に基づく画像を、前記第１表示部及び前記第２表示部にて１画面として表示の制御を行う制御部と、
を備え、
前記制御部は、前記所定の画像情報に、前記第１表示部と前記第２表示部に跨がって分断して表示される所定の情報がある場合に、前記操作検出部が所定の操作を検出すると、当該所定の情報を前記第１表示部又は前記第２表示部のいずれか一方のみに表示するように制御し、
前記制御部は、前記所定の情報を前記第１表示部又は前記第２表示部のいずれか一方に表示した後、所定時間経過後に、前記所定の情報を再び前記第１表示部及び前記第２表示部を跨ぐように表示させることを特徴とする電子機器。
【請求項２】
前記所定の情報は、文字情報及び画像情報の少なくとも一方であることを特徴とする請求項１に記載の電子機器。
【請求項３】
前記制御部は、前記所定の情報の上端が前記第１表示部に表示され、かつ、前記所定の情報の下端が前記第２表示部に表示されている場合に、前記操作検出部が前記所定の操作を検出すると、前記所定の情報の上端を、前記第２表示部の上端よりも下に表示させるか、若しくは、前記所定の情報の下端を、前記第１表示部の下端よりも上に表示させることを特徴とする請求項１又は請求項２に記載の電子機器。
【請求項４】
前記操作検出部は、スライド操作を検出可能であり、
前記操作検出部が、前記所定の操作として、前記第１表示部及び前記第２表示部の配列方向に沿ったスライド操作を検出すると、前記制御部は、前記所定の情報を前記第１表示部又は前記第２表示部のいずれか一方のみに表示することを特徴とする請求項１〜請求項３のいずれか１つに記載の電子機器。
【請求項５】
前記操作検出部は、前記第１表示部及び前記第２表示部の表面上に重畳して配されており、
前記操作検出部が、前記所定の操作として、前記第１表示部及び前記第２表示部の両者に対する指示体の操作のうち前記指示体が離れる方向の操作を検出すると、前記制御部は、前記第１表示部又は第２表示部のいずれか一方のみに前記所定の情報を表示することを特徴とする請求項４に記載の電子機器。
【請求項６】
前記操作検出部が、前記所定の操作として、前記第１表示部及び前記第２表示部の一方の表示部に対する指示体によるスライド操作を検出すると、前記制御部は、前記スライド操作のスライド方向に応じて表示部に前記所定の情報を表示することを特徴とする請求項１〜請求項５のいずれか１つに記載の電子機器。
【請求項７】
前記制御部は、前記表示部に前記所定の情報以外の情報が表示されている場合には、前記操作検出部が前記所定の操作を検出すると、前記所定の情報以外の情報の表示の移動を規制することを特徴とする請求項６に記載の電子機器。
【請求項８】
前記第１表示部及び第２表示部に配された触感付与部を備え、
前記触感付与部は、前記操作検出部で前記所定の操作が検出されて、前記所定の情報が第１表示部又は前記第２表示部のいずれか一方に表示される際に、所定の触感を与えることを特徴とする請求項１〜請求項７のいずれか１つに記載の電子機器。
【請求項９】
前記第１表示部及び前記第２表示部間には隔壁が形成されており、
前記制御部は、前記第１表示部及び前記第２表示部に前記所定の情報が表示される場合には、前記隔壁を表示領域の一部とみなして、当該隔壁の表示領域に対応する情報を間引いて、前記所定の情報を前記第２表示部に表示することを特徴とする請求項１〜請求項８のいずれか１つに記載の電子機器。
【請求項１０】
前記制御部は、前記操作検出部が一方の表示部のみでスライド操作を検出した場合は、その操作方向に前記１画面をスクロールさせることを特徴とする請求項１〜請求項９のいずれか１つに記載の電子機器。
【請求項１１】
隣接して配置される、第１表示部及び第２表示部と、操作を検出する操作検出部と、を備えた電子機器の表示方法であって、
所定の画像情報に基づく画像を、前記第１表示部及び前記第２表示部にて１画面として表示の制御を行う工程と、
前記所定の画像情報に、前記第１表示部と前記第２表示部に跨がって分断して表示される所定の情報がある場合に、前記操作検出部が所定の操作を検出すると、当該所定の情報を前記第１表示部又は前記第２表示部のいずれか一方のみに表示するように制御する工程と、
前記所定の情報を前記第１表示部又は前記第２表示部のいずれか一方に表示した後、所定時間経過後に、前記所定の情報を再び前記第１表示部及び前記第２表示部を跨ぐように表示させる工程と、
を含むことを特徴とする電子機器の表示方法。
【発明の詳細な説明】
【技術分野】
【０００１】
本発明は、電子機器及びその表示方法に関する。
【背景技術】
【０００２】
携帯端末装置では、２枚のタッチパネルからなるデュアルタッチスクリーン（以下「ＤＴＳ」と称する）を備えたものがある（例えば、特許文献１参照）。かかるＤＴＳタイプの携帯端末装置では、２枚のタッチパネルをそれぞれ筐体に収納し、筐体間をヒンジ部により連結する構成を取るのが一般的である。ＤＴＳタイプの携帯端末装置では、２枚のタッチパネルを１つのディスプレイ（１画面）として電子書籍などのコンテンツを表示させることができる。
【先行技術文献】
【特許文献】
【０００３】
【特許文献１】特開平０９−２６７６９号公報
【発明の概要】
【発明が解決しようとする課題】
【０００４】
しかしながら、ＤＴＳタイプの携帯端末装置では、２枚のタッチパネルを１つのディスプレイとして電子書籍などを表示させる場合に、２枚のタッチパネルは、筐体の隔壁で分断されているので、２枚のタッチパネル間に跨がって文字や画像が分断されて表示されるため、文字や画像が切れて見えてしまうという問題がある。
【０００５】
本発明は、上記課題に鑑みてなされたものであり、２つの表示部を１画面として表示を行う場合に、２つの表示部間で跨って分断されて表示される情報を簡単な操作で見易く表示することが可能な電子機器及びその表示方法を提供することを目的とする。
【課題を解決するための手段】
【０００６】
上述した課題を解決し、目的を達成するために、本発明は、隣接して配置される、第１表示部及び第２表示部と、操作を検出する操作検出部と、所定の画像情報に基づく画像を、前記第１表示部及び前記第２表示部にて１画面として表示の制御を行う制御部と、を備え、前記制御部は、前記所定の画像情報に、前記第１表示部と前記第２表示部に跨がって分断して表示される所定の情報がある場合に、前記操作検出部が所定の操作を検出すると、当該所定の情報を前記第１表示部又は前記第２表示部のいずれか一方のみに表示するように制御することを特徴とする。
【０００７】
また、本発明の好ましい態様によれば、前記所定の情報は、文字情報及び画像情報の少なくとも一方であることが望ましい。
【０００８】
また、本発明の好ましい態様によれば、前記制御部は、前記所定の情報の上端が前記第１表示部に表示され、かつ、前記所定の情報の下端が前記第２表示部に表示されている場合に、前記操作検出部が前記所定の操作を検出すると、前記所定の情報の上端を、前記第２表示部の上端よりも下に表示させるか、若しくは、前記所定の情報の下端を、前記第１表示部の下端よりも上に表示させることが望ましい。
【０００９】
また、本発明の好ましい態様によれば、前記操作検出部は、スライド操作を検出可能であり、前記操作検出部が、前記所定の操作として、前記第１表示部及び前記第２表示部の配列方向に沿ったスライド操作を検出すると、前記制御部は、前記所定の情報を前記第１表示部又は前記第２表示部のいずれか一方のみに表示することが望ましい。
【００１０】
また、本発明の好ましい態様によれば、前記操作検出部は、前記第１表示部及び前記第２表示部の表面上に重畳して配されており、前記操作検出部が、前記所定の操作として、前記第１表示部及び前記第２表示部の両者に対する指示体の操作のうち前記指示体が離れる方向の操作を検出すると、前記制御部は、前記第１表示部又は第２表示部のいずれか一方のみに前記所定の情報を表示することが望ましい。
【００１１】
また、本発明の好ましい態様によれば、前記操作検出部が、前記所定の操作として、前記第１表示部及び前記第２表示部の一方の表示部に対する指示体によるスライド操作を検出すると、前記制御部は、前記スライド操作のスライド方向に応じて表示部に前記所定の情報を表示することが望ましい。
【００１２】
また、本発明の好ましい態様によれば、前記制御部は、前記表示部に前記所定の情報以外の情報が表示されている場合には、前記操作検出部が前記所定の操作を検出すると、前記所定の情報以外の情報の表示の移動を規制することが望ましい。
【００１３】
また、本発明の好ましい態様によれば、前記第１表示部及び第２表示部に配された触感付与部を備え、前記触感付与部は、前記操作検出部で前記所定の操作が検出されて、前記所定の情報が第１表示部又は前記第２表示部のいずれか一方に表示される際に、所定の触感を与えることが望ましい。
【００１４】
また、本発明の好ましい態様によれば、前記第１表示部及び前記第２表示部間には隔壁が形成されており、前記制御部は、前記第１表示部及び前記第２表示部に前記所定の情報が表示される場合には、前記隔壁を表示領域の一部とみなして、当該隔壁の表示領域に対応する情報を間引いて、前記所定の情報を前記第２表示部に表示することが望ましい。
【００１５】
また、本発明の好ましい態様によれば、前記制御部は、前記所定の情報を前記第１表示部又は前記第２表示部のいずれか一方に表示した後、所定時間経過後に、前記所定の情報を再び前記第１表示部及び前記第２表示部を跨ぐように表示させることが望ましい。
【００１６】
また、本発明の好ましい態様によれば、前記制御部は、前記操作検出部が一方の表示部のみでスライド操作を検出した場合は、その操作方向に画面をスクロールさせることが望ましい。
【発明の効果】
【００１７】
本発明に係る電子機器によれば、２つの表示部を１画面として表示を行う場合に、２つの表示部間で跨って分断されて表示される情報を簡単な操作で見易く表示することが可能となるという効果を奏する。  
【図面の簡単な説明】
【００１８】
【図１】図１は、閉状態にある携帯電子機器を示す斜視図である。
【図２】図２は、開状態にある携帯電子機器を示す斜視図である。
【図３】図３は、携帯電子機器の機能的な構成を示すブロック図である。
【図４】図４は、制御部が、所定の情報がある場合に所定の情報を第１表示部又は第２表示部のいずれか一方に表示する処理の一例を説明するためのフローチャートである。
【図５】図５は、制御部が、所定の情報がある場合に所定の情報を第１表示部又は第２表示部のいずれか一方に表示する処理を説明するための表示例を示す図である。
【図６】図６は、制御部が、所定の情報がある場合に間引き表示する処理を説明するためのフローチャートである。
【図７】図７は、制御部が、所定の情報がある場合に、間引き表示する処理を説明するための表示例を示す図である。
【発明を実施するための形態】
【００１９】
以下、本発明につき図面を参照しつつ詳細に説明する。なお、以下の説明により本発明が限定されるものではない。また、以下の説明における構成要素には、当業者が容易に想定できるもの、実質的に同一のもの、いわゆる均等の範囲のものが含まれる。また、本発明に係る携帯電子機器は、電子書籍表示装置、携帯電話端末、ＰＨＳ（Personal  Handy-phone  System）、パソコン、携帯情報端末、ゲーム機等の各種装置を含む。  
【００２０】
（実施の形態１）
まず、図１及び図２を参照しながら、本発明に係る電子機器の一実施形態である携帯電子機器１の外観について説明する。図１は、閉状態にある携帯電子機器１を示す斜視図である。図２は、開状態にある携帯電子機器１を示す斜視図である。  
【００２１】
図１及び図２に示すように、携帯電子機器１は、第１筐体１Ａと、第２筐体１Ｂと、ヒンジ機構８とを備えている。ヒンジ機構８は、第１筐体１Ａと第２筐体１Ｂとを、相対的に回動可能に連結する。すなわち、携帯電子機器１は、折り畳み式の筐体を有する。
【００２２】
第１筐体１Ａは、第１タッチパネル２備えている。第１タッチパネル２は、情報を表示するための第１表示部２Ｂと、第１表示部２Ｂに重畳した第１タッチセンサ２Ａと、第１タッチセンサ２Ａに重畳した第１Ｈａｐｔｉｃｓデバイス２Ｃとを備える。なお、第１表示部２Ｂ、第１タッチセンサ２Ａ、及び第１Ｈａｐｔｉｃｓデバイス２Ｃの積層順序は如何なる順序としてもよい。
【００２３】
第１タッチパネル２は、文字、図形、画像等を表示するとともに、指、スタイラス、ペン等（以下、「指示体」と称する）を用いて第１タッチパネル２に対して行われる各種操作を検出する。なお、第１タッチパネル２が各種操作を検出する方式は、静電容量式、感圧式等の任意の方式であってよい。
【００２４】
第２筐体１Ｂは、第２タッチパネル３と、入力部４とを備えている。第２タッチパネル３は、情報を表示するための第２表示部３Ｂと、第２表示部３Ｂに重畳した第２タッチセンサ３Ａと、第２タッチセンサ３Ａに重畳した第２Ｈａｐｔｉｃｓデバイス３Ｃとを備える。なお、第２表示部３Ｂ、第２タッチセンサ３Ａ、及び第２Ｈａｐｔｉｃｓデバイス３Ｃの積層順序は如何なる順序としてもよい。
【００２５】
第２タッチパネル３は、文字、図形、画像等を表示するとともに、指示体を用いて第２タッチパネル３に対して行われる各種操作を検出する。なお、第２タッチパネル３が各種操作を検出する方式は、静電容量式、感圧式等の任意の方式であってよい。入力部４は、所定の機能が割り当てられたボタン４Ａ〜４Ｄ等の複数のボタンからなる。第１表示部２Ｂと第２表示部３Ｂは、略同じ大きさの表示画面となっている。
【００２６】
図１に示す閉状態において、携帯電子機器１は、折り畳まれて、第１筐体１Ａの第１表示部２Ｂを有する面と、第２筐体１Ｂの第２表示部３Ｂを有する面とが対向する形状となる。この形状は、携帯電子機器１の露出部分の表面積が最小となる形状であり、携帯電子機器１を持ち運ぶのに適している。
【００２７】
図２に示す開状態において、携帯電子機器１は、第１筐体１Ａの第１表示部２Ｂを有する面と、第２筐体１Ｂの第２表示部３Ｂを有する面とが外部に露出し、同一平面上に並んだ形状となる。第１表示部２Ｂ及び第２表示部３Ｂは、開状態における第１筐体１Ａと第２筐体１Ｂとの境界と平行方向に略同一の幅を有し、また、端部の１つが境界に近接するように配置されている。第１表示部２Ｂと第２表示部３Ｂ間を隔てる第１筐体１Ａ及び第２筐体１Ｂの境界部分を隔壁１Ｃと称する。開状態において、携帯電子機器１は、第１表示部２Ｂ及び第２表示部３Ｂを連結した１画面（１つの表示部）として制御し、第１表示部２Ｂ及び第２表示部３Ｂに跨って情報を表示させる。  
【００２８】
次に、図３を参照しながら、携帯電子機器１の機能的な構成について説明する。図３は、携帯電子機器１の機能的な構成を示すブロック図である。図３に示すように、携帯電子機器１は、第１タッチパネル２と、第２タッチパネル３と、入力部４と、電源部５と、通信部６と、記憶部９と、制御部１０と、ＲＡＭ（Random  Access  Memory）１１とを備えている。
【００２９】
第１タッチパネル２は、第１表示部２Ｂと、第１表示部２Ｂに重畳された第１タッチセンサ（操作検出部）２Ａと、第１タッチセンサ２Ａに重畳された第１Ｈａｐｔｉｃｓデバイス（触感付与部）２Ｃとを備える。第１タッチセンサ２Ａは、指示体を用いて第１タッチパネル２に対して行われた各種操作を、操作が行われた場所の第１タッチパネル２上での位置とともに検出し、制御部１０に通知する。第１タッチセンサ２Ａによって検出される操作には、タッチ操作、スワイプ操作、及びピッチ操作が含まれる。第１表示部２Ｂは、例えば、液晶ディスプレイ（ＬＣＤ：Liquid  Crystal  Display）や、有機ＥＬ（Organic  Electro−Luminescence）パネルなどで構成され、文字や図形等を表示する。第１Ｈａｐｔｉｃｓデバイス２Ｃは、第１タッチパネル２に指示体が接触した際に所定の触感を付与する。Ｈａｐｔｉｃｓデバイスは、振動や圧力等を加えることで触感を付与する公知のデバイスであるので、その詳細な説明は省略する。
【００３０】
第２タッチパネル３は、第２表示部３Ｂと、第２表示部３Ｂに重畳された第２タッチセンサ（操作検出部）３Ａと、第２タッチセンサ３Ａに重畳された第２Ｈａｐｔｉｃｓデバイス（触感付与部）３Ｃとを備える。第２タッチセンサ３Ａは、指示体を用いて第２タッチパネル３に対して行われた各種操作を、操作が行われた場所の第２タッチパネル３上での位置とともに検出し、制御部１０に通知する。第２タッチセンサ３Ａによって検出される操作には、タッチ操作、スワイプ操作、及びピッチ操作が含まれる。第２表示部３Ｂは、例えば、液晶ディスプレイ（ＬＣＤ：Liquid  Crystal  Display）や、有機ＥＬ（Organic  Electro−Luminescence）パネルなどで構成され、文字や図形等を表示する。第２Ｈａｐｔｉｃｓデバイス３Ｃは、第２タッチパネル３に指示体が接触した際に所定の触感を付与する。
【００３１】
第１表示部２Ｂ及び第２表示部３Ｂは、上述したように、開状態において連結した１つの表示部として情報を表示することができるように構成される。また、第１表示部２Ｂ及び第２表示部３Ｂは、開状態において同一平面上に位置するため、第１表示部２Ｂ及び第２表示部３Ｂを跨ってドラッグやスワイプ等の操作を行うことが可能となっている。
【００３２】
入力部（操作検出部）４は、物理的なボタン４Ａ〜４Ｄ等を通じて利用者の操作を受け付け、受け付けた操作に対応する信号を制御部１０へ送信する。第１タッチセンサ２Ａ，第２タッチセンサ３Ａ，及び入力部４は、操作検出部として機能する。
【００３３】
電源部５は、制御部１０の制御に従って、蓄電池または外部電源から得られる電力を、制御部１０を含む携帯電子機器１の各機能部へ供給する。通信部６は、基地局によって割り当てられるチャネルを介し、基地局との間でＣＤＭＡ方式などによる無線信号回線を確立し、基地局との間で電話通信及び情報通信を行う。
【００３４】
ＲＡＭ１１は、制御部１０によって実行されるプログラムの命令、制御部１０が参照するデータ、制御部１０の演算結果等が一時的に記憶される記憶領域として利用される。
【００３５】
記憶部９は、各種情報を記憶する記憶装置である。記憶部９は、携帯電子機器１内に固定的に設けられたフラッシュメモリ等の記憶媒体に情報を記憶させるものであってもよいし、メモリカード等の取り出し可能な記憶媒体と、記憶媒体の読み書き装置との組み合わせとして構成されていてもよい。  
【００３６】
記憶部９には、制御部１０での処理に利用されるデータやプログラムが記憶される。記憶部９に記憶されるプログラムには、例えば、電子書籍の閲覧機能を提供するプログラム、ＷＥＢページの閲覧機能を提供するプログラム、第１表示部２Ｂ及び第２表示部３Ｂの表示を制御する機能を提供するプログラム、第１タッチセンサ２Ａ及び第２タッチセンサ３Ａを制御する機能を提供するプログラム、第１Ｈａｐｔｉｃｓデバイス２Ｃ及び第２Ｈａｐｔｉｃｓデバイス３Ｃを制御する機能を提供するプログラム等が含まれる。また、記憶部９に記憶されるデータには、例えば、第１表示部２Ｂ及び第２表示部３Ｂに表示される書籍データ、種々の情報が格納されたデータベースが含まれる。
【００３７】
制御部１０は、例えば、ＣＰＵ（Central  Processing  Unit）、マイクロプロセッサ、ＤＳＰ等であり、携帯電話端末１の動作を統括的に制御して各種の機能を実現する。具体的には、制御部１０は、記憶部９に記憶されているデータやＲＡＭ１１に展開したデータを必要に応じて参照しつつ、記憶部９に記憶されているプログラムに含まれる命令を実行して、第１タッチパネル２、第２タッチパネル３、及び通信部６等を制御することによって各種機能を実現する。なお、制御部１０が実行するプログラムや参照するデータは、通信部６による無線通信でサーバ装置からダウンロードすることとしてもよい。
【００３８】
また、制御部１０は、第１表示部２Ｂ及び第２表示部３Ｂを１画面として表示の制御を行い、第１表示部２Ｂと第２表示部３Ｂに跨がって分断して表示される所定の情報がある場合に、操作検出部が所定の操作を検出したとき、所定の情報を第１表示部２Ｂ又は第２表示部３Ｂのいずれか一方に表示するように制御する。所定の情報は文字情報及び画像情報の少なくとも一方で構成される。この制御は、制御部１０が、記憶部９に記憶されているプログラムを読み込んで実行することにより実現される。以下では、操作検出部が、第１タッチセンサ２Ａ及び第２タッチセンサ３Ａであり、所定の操作が、一方の表示部をタッチしたまま他方の表示部でスワイプする操作である場合を一例として説明する。
ではない。
【００３９】
図４及び図５を参照して、制御部１０が、第１表示部２Ｂ及び第２表示部３Ｂに跨がって分断して表示される所定の情報がある場合に、所定の情報を第１表示部２Ｂ又は第２表示部３Ｂのいずれか一方に表示する処理の一例を説明する。図４は、制御部１０が、第１表示部２Ｂと第２表示部３Ｂに跨がって分断して表示される所定の情報がある場合に、所定の情報を第１表示部２Ｂ又は第２表示部３Ｂのいずれか一方に表示する処理の一例を説明するためのフローチャートである。図５は、制御部１０が、第１表示部２Ｂと第２表示部３Ｂに跨がって分断して表示される所定の情報がある場合に、所定の情報を第１表示部２Ｂ又は第２表示部３Ｂのいずれか一方に表示する処理を説明するための表示例を示す図である。
【００４０】
図４において、制御部１０は、まず、第１タッチセンサ２Ａ及び第２タッチセンサ３Ａが第１表示部２Ｂ及び第２表示部３Ｂのうち、一方の表示部に対するタッチ操作を検出（ステップＳ１の「Ｙｅｓ」）し、さらに、当該タッチ操作が行われている間に、他方の表示部に対するスワイプ操作を検出すると（ステップＳ２の「Ｙｅｓ」）、所定の情報を検出して、所定の情報の切り取る位置を決定し（ステップＳ１）、所定の情報の切り取り動作を開始する（ステップＳ４）。
【００４１】
制御部１０は、切り取り動作を開始すると、スワイプ操作が行われている表示部に配されたＨａｐｔｉｃｓデバイスを制御して、指示体（指）に対して摩擦抵抗を感じさせるような触感を呈示する（ステップＳ５）。制御部１０は、所定の情報の切り取り動作が完了すると（ステップＳ６の「Ｙｅｓ」）、スワイプ操作が行われた表示部に所定の情報を表示し（ステップＳ７）、スワイプ操作が行われている表示部に配されたＨａｐｔｉｃｓデバイスを制御して、指示体に対して滑るような触感を呈示する（ステップＳ８）。
【００４２】
上記フローチャートの処理の具体的表示例を、図５を参照して説明する。図５（ａ）に示すように、第１表示部２Ｂと第２表示部３Ｂは隔壁１Ｃにより画されている。第１表示部２Ｂ及び第２表示部３Ｂを１画面として電子書籍が表示されており、第１表示部２Ｂ及び第２表示部３Ｂに跨って分断された所定の情報が表示されている。この所定の情報は、「休校にならないかな」という文字情報２０Ａと画像情報２０Ｂである。
【００４３】
ここで、図５（ｂ）に示すように、ユーザが、第１表示部２Ｂを指で押さえ（タッチ操作したまま）、第２表示部３Ｂを指で下方向にスワイプ操作（スライド操作）すると、第１タッチセンサ２Ａ及び第２タッチセンサ３Ａがこのタッチイベントを検出する（上記図４のステップＳ１，２）。次に、所定の情報（「休校にならないかな」という文字情報２０Ａと画像情報２０Ｂ）が切り取られ（上記図４のステップＳ３、Ｓ４，Ｓ６）、図５（ｃ）に示すように、スワイプ操作した方の第２表示部３Ｂに引っ張り出すように表示される（上記図４のステップＳ７）。具体的には、第１表示部２Ｂと第２表示部３Ｂが配列する方向をＸ軸方向とし、第２表示部３Ｂの上端のＸ軸座標をＸ１，所定の情報の上端のＸ座標をＸ２とした場合、Ｘ２＞Ｘ１の場合には、Ｘ１＞Ｘ２となるように、所定の情報をＸ軸方向に移動させて表示する。また、所定の情報以外の情報の表示の移動は行わない（移動を規制する）。
【００４４】
所定の情報が第２表示部３Ｂに表示される際に、第２Ｈａｐｔｉｃｓデバイス３Ｃにより、指示体には、所定の触感が与えられる（上記図４のステップＳ５，Ｓ７）。例えば、所定の情報を切り取る際に、切り取られる直前まではスワイプする指に特定の周波数の振動を与えることにより、摩擦の抵抗感を感じさせ、切り取り後は先程とは異なる周波数の振動によって摩擦の抵抗感を減らすような（換言すれば、Ｓ５のときに比べて滑るような）触感を与える。この触感としては、紙が破けるような触感とすることができる。
【００４５】
また、図示は省略するが、第２表示部３Ｂをタッチ操作したまま、第１表示部２Ｂを上向きにスワイプ操作することで、所定の情報が第１表示部２Ｂに表示される。この場合は、所定の情報の下端のＸ座標が第１表示部２Ｂの下端のＸ座標よりも大きくなるように、所定の情報をＸ軸方向に移動させる。なお、所定の情報を一方の表示部に表示した後、所定時間経過後に、所定の情報の表示を元に戻すことにしてもよい。例えば、図５（ｃ）に示す表示を行った後、所定時間経過後に、図５（ａ）に示す表示に戻すことにしてもよい。
【００４６】
また、一方の表示部のみでスワイプ操作（スライド操作）を検出した場合は、その操作方向に画面をスクロールさせることにしてもよい。
【００４７】
また、所定の情報が画像情報である場合に、第１表示部２Ａ及び第２表示部３Ｂの一方で、当該画像情報に対して、ピッチアウト（２つの指示体の間隔を広げる操作）を検出した場合には、当該操作が行われた表示部に表示されている画像情報を拡大して表示してもよい。また、当該画像情報に対して、第１表示部２Ｂ及び第２表示部３Ｂの一方でピンチイン（２つの指示体の間隔を狭める操作）を検出した場合には、当該操作が行われた表示部に表示されている画像情報を縮小して表示することにしてもよい。例えば、第１表示部２Ｂで画像情報２０Ｂに対してピンチアウトが行われた場合は、第１表示部２Ｂに表示される画像情報２０Ｂを拡大して表示し、第１表示部２Ｂで画像情報２０Ｂに対してピンチインが行われた場合は、第１表示部２Ｂに表示される画像情報２０Ｂを縮小して表示することにしてもよい。
【００４８】
なお、上記実施の形態１では、第１表示部２Ｂと第２表示部３Ｂ間で所定の情報が表示されている場合に、所定の操作として、一方の表示部をタッチしたまま、他方の表示部でスワイプする操作を検出した場合に、スワイプ操作が行われた表示部に所定の情報を表示することとしたが、所定の操作はこれに限られるものではない。
【００４９】
例えば、入力部４がボタン操作を検出した場合に、所定の情報を一方の表示部に表示することにしてもよい。また、第１タッチセンサ２Ａ及び第２タッチセンサ３Ｂの少なくとも一方が、第２表示部３Ｂの第１表示部２Ｂ及び第２表示部３Ｂの配列方向に沿ったスライド操作を検出した場合に、その操作が行われた方向の表示部に所定の情報を表示することにしてもよい。また、第１表示部２Ｂ及び第２表示部３Ｂの両者に対する操作のうち、指示体が離れる方向の操作を検出した場合に、指示体が離れる方向の操作が行われた表示部に所定の情報を表示することにしてもよい。
【００５０】
以上説明したように、実施の形態１によれば、隣接して配置される、第１表示部２Ｂ及び第２表示部３Ｂと、操作を検出する操作検出部と、所定の画像情報に基づく画像を、第１表示部２Ｂ及び第２表示部３Ｂにて１画面として表示の制御を行う制御部１０と、を備え、制御部１０は、第１表示部２Ｂと第２表示部３Ｂに跨がって分断して表示される所定の情報がある場合に、操作検出部が所定の操作を検出すると、当該所定の情報を第１表示部２Ｂ又は第２表示部３Ｂのいずれか一方のみに表示するように制御することとしたので、２つの表示部を１画面として表示を行う場合に、２つの表示部間で跨って分断されて表示される情報を簡単な操作で見易く表示することが可能となる。
【００５１】
また、実施の形態１によれば、所定の情報は、文字情報及び画像情報の少なくとも一方であることとしたので、文字情報や画像情報が第１表示部２Ｂと第２表示部３Ｂ間で分断して表示されている場合に、文字情報や画像情報を簡単な操作で見易く表示することが可能となる。
【００５２】
また、制御部１０は、所定の情報の上端が第１表示部２Ｂに表示され、かつ、所定の情報の下端が第２表示部３Ｂに表示されている場合に、操作検出部が所定の操作を検出すると、所定の情報の上端を、第２表示部３Ｂの上端よりも下に表示させるか、若しくは、所定の情報の下端を、第１表示部２Ｂの下端よりも上に表示させることとしたので、所定の情報を簡単な方法で一方の表示部に表示することが可能となる。
【００５３】
また、操作検出部は、スライド操作を検出可能であり、操作検出部が、所定の操作として、第１表示部２Ｂ及び第２表示部３Ｂの配列方向に沿ったスライド操作を検出すると、制御部１０は、所定の情報を第１表示部２Ｂ又は第２表示部３Ｂのいずれか一方のみに表示することとしたので、ユーザは、第１表示部２Ｂ及び第２表示部３Ｂの配列方向に沿ったスライド操作を行うことで、所定の情報を第１表示部２Ｂ又は第２表示部３Ｂのいずれか一方のみに表示することとが可能となる。
【００５４】
また、操作検出部（第１タッチセンサ２Ａ及び第２タッチセンサ３Ａ）は、第１表示部２Ｂ及び第２表示部３Ｂの表面上に重畳して配されており、第１タッチセンサ２Ａ及び第２タッチセンサ３Ａが、所定の操作として、第１表示部２Ｂ及び第２表示部３Ｂの両者に対する指示体の操作のうち指示体が離れる方向の操作を検出すると、制御部１０は、第１表示部２Ｂ又は第２表示部３Ｂのいずれか一方のみに所定の情報を表示することとしたので、ユーザは、第１表示部２Ｂ及び第２表示部３Ｂの両者に対する操作を行い、指示体が離れる方向の操作を行うことで、一方の表示部のみに所定の情報を表示することが可能となる。
【００５５】
また、操作検出部が、所定の操作として、第１表示部２Ｂ及び第２表示部３Ｂの一方の表示部に対する指示体によるスライド操作を検出すると、制御部１０は、スライド操作のスライド方向に応じて表示部に所定の情報を表示することとしたので、ユーザは、一方の表示部に対するスライド操作を行うことで、スライドした方向の表示部に所定の情報を表示することが可能となる。
【００５６】
また、制御部１０は、タッチ操作が行われた表示部に所定の情報以外の情報が表示されている場合には、操作検出部が所定の操作を検出すると、所定の情報以外の情報の表示の移動を規制することとしたので、所定の情報のみを移動して表示することが可能となる。
【００５７】
また、第１表示部２Ｂ及び第２表示部３Ｂに配された触感付与部を備え、触感付与部は、操作検出部で所定の操作が検出されて、所定の情報が第１表示部２Ｂ又は第２表示部３Ｂのいずれか一方のみに表示される際に、所定の触感を与えることとしたので、直感的な操作感をユーザに与えることが可能となる。
【００５８】
また、制御部１０は、所定の情報を第１表示部２Ｂ又は前記第２表示部３Ｂのいずれか一方に表示した後、所定時間経過後に、所定の情報を再び第１表示部２Ｂ又は第２表示部３Ｂを跨ぐように表示させることとしたので、所定の情報の表示を元に戻すことが可能となる。
【００５９】
また。制御部１０は、操作検出部が一方の表示部のみでスライド操作を検出した場合は、その操作方向に画面をスクロールさせることとしたので、画面スクロールを行うことが可能となる。
【００６０】
（実施の形態２）
図６及び図７を参照して、実施の形態２に係る携帯電子機器を説明する。実施の形態１と同様な点についてはその説明を省略し、異なる点についてのみ説明する。第１表示部２Ｂ及び第２表示部３Ｂを１画面として表示させたときに、第１表示部２Ｂと第２表示部３Ｂに跨がって表示される所定の情報がある場合に隔壁１Ｃの上下が間延びして見えることがある。実施の形態２では、これを解消するために、隔壁１Ｃも表示領域の一部として計算し、隔壁１Ｃに対応する情報を間引いて表示する（以下、「間引き表示」と称する）ことで、隔壁１Ｃの裏に表示が隠れているように見せる構成である。
【００６１】
図６は、制御部１０が、第１表示部２Ｂと第２表示部３Ｂに跨がって分断して表示される所定の情報がある場合に、間引き表示する処理を説明するためのフローチャートである。図７は、制御部１０が、第１表示部２Ｂと第２表示部３Ｂに跨がって分断して表示される所定の情報がある場合に、間引き表示する処理を説明するための表示例を示す図である。
【００６２】
この間引き表示の実行の有無は、入力部３や第１及び第２タッチパネル２、３の操作でユーザが設定可能となっている。図６において、制御部１０は、間引き表示の実行が設定されているか否かを判断し（ステップＳ１１）、間引き表示の実行が設定されている場合には（ステップＳ１１の「Ｙｅｓ」）、第１表示部２Ｂと第２表示部３Ｂに跨がって表示される所定の情報があるか否かを判断する（ステップＳ１２）。第１表示部２Ｂと第２表示部３Ｂに跨がって表示される所定の情報がある場合には（ステップＳ１２の「Ｙｅｓ」）、制御部１０は、隔壁１Ｃも表示領域の一部として計算し、隔壁１Ｃに対応する情報を間引いて、所定の情報を第２表示部３Ｂに表示する（ステップＳ１３）。さらに、制御部１０は、第１タッチセンサ２Ａ及び第２タッチセンサ３Ａが第１表示部２Ｂ及び第２表示部３Ｂのうち、一方の表示部に対するタッチ操作を検出（ステップＳ１４の「Ｙｅｓ」）し、さらに、当該タッチ操作が行われている間に、他方の表示部に対するスワイプ操作を検出すると（ステップＳ１５の「Ｙｅｓ」）、スワイプ操作が行われた表示部に、間引かれた隔壁１Ｃの表示領域に対応する情報（隔壁１Ｃに隠れている部分）を表示する（ステップＳ１６）。
【００６３】
上記フローチャートの処理の具体的表示例を、図７を参照して説明する。図７（ａ）に示すように、第１表示部２Ｂと第２表示部３Ｂは隔壁１Ｃにより画されている。第１表示部２Ｂ及び第２表示部３Ｂを１画面として電子書籍が表示されており、第１表示部２Ｂ及び第２表示部３Ｂに跨って分断された所定の情報が表示されている。この所定の情報は、画像情報２０Ｂである。画像情報２０Ｂは、隔壁１Ｃで分断されているため、間延びして見える。ここで、図７（ｂ）に示すように、隔壁１Ｃも表示領域の一部として計算し、隔壁１Ｃに対応する情報（「そう、ひとり言のよう」の文字情報と画像情報２０Ｂの一部）を間引いて第２表示部３Ｂに表示する。これにより、隔壁１Ｃの裏に表示が隠れているように見え、間延びして見えることを防止できる。
【００６４】
ここで、図７（ｃ）に示すように、ユーザが、第２表示部３Ｂを指で押さえ（タッチ操作したまま）、第１表示部２Ｂを指で上方向にスワイプ操作（スライド操作）すると、図７（ｄ）に示すように、間引きされた隔壁１Ｃの表示領域に対応する情報（隔壁１Ｃに隠れている部分）を含むウィンドウ２５を第１表示部２Ｂに表示し、ウィンドウ２５中で、隔壁１Ｃに隠れている部分を識別表示３０する。同図に示す例では、「そう、ひとり言のように」の文字情報と画像情報２０Ｂの一部が識別表示３０されている。具体的には、識別表示３０の態様として、識別表示３０以外の第１表示部２Ｂ及び第２表示部３Ｂにおける領域とは異なる背景色にて識別表示３０を表示するなどして、識別表示３０の領域が他の領域と区別されるように表示する。また、図示は省略するが、第１表示部２Ｂをタッチ操作したまま、第２表示部３Ｂを下向きにスワイプ操作することで、隔壁１Ｃに隠れている部分を含むウィンドウ２５が第２表示部３Ｂに表示される。なお、ここでは、隔壁１Ｃに隠れている部分を含むウィンドウ２５を一方の表示部に表示することとしたが、隔壁１Ｃに隠れている部分のみを一方の表示部に表示することにしてもよい。また、ここでは、一方の表示部をタッチしたまま、他方の表示部でスワイプする操作を検出した場合に、スワイプ操作が行われた表示部に隔壁１Ｃに隠れている部分を表示部に表示することとしたが、これに限られず、他の操作を検出した場合に、表示部に隔壁１Ｃに隠れている部分を表示部に表示することにしてもよい。
【００６５】
以上説明したように、実施の形態２によれば、第１表示部２Ｂ及び第２表示部３Ｂ間には隔壁１Ｃが形成されており、制御部１０は、第１表示部２Ｂと第２表示部３Ｂに所定の情報が表示される場合には、隔壁１Ｃを表示領域の一部とみなして、隔壁１Ｃの表示領域に対応する情報を間引いて、所定の情報を、第２表示部３Ｂに表示することとしたので、隔壁１Ｃの上下が間延びして見えることを防止することが可能となる。
【００６６】
また、第１表示部２Ｂ及び第２表示部３Ｂの一方の表示部に対する指示体によるタッチ操作、及び、他方の表示部に対する指示体によるスライド操作を検出すると、制御部１０は、間引かれた隔壁１Ｃの表示領域に対応する情報を、スライド操作が行われた表示部に表示することとしたので、ユーザは、隔壁１Ｃに隠れている部分を確認することが可能となる。
【００６７】
なお、上記実施の形態１、２は、単独でも組み合わせて実施してもよい。本発明の装置、方法、及びプログラムの実施の形態１、２は、特許請求の範囲に示す本発明の範囲を限定するものではなく、単に本発明の選択した実施の形態の一例を示すものであって、特許請求の範囲に示す本発明と矛盾無く装置及び方法についての選択した実施の形態を単に示すものである。当業者は、特定の細目の１つ以上が無くても、または他の方法、部品、モジュール、材料でも本発明を実現することができる。また、当業者は、フローチャートで示した処理の各ステップを、順番の変更、ステップの削除、新たなステップの追加が可能である。
【００６８】
また、上記の実施の形態１，２では、表示手段としてタッチパネルを有する電子機器に本発明を適用する例について説明したが、本発明は、表示手段として、タッチセンサが重畳されていない単なる表示パネルを有する電子機器に適用することもできる。
【００６９】
また、上記の実施の形態１，２では、２つの表示部を１画面として表示制御する場合について説明したが、３つ以上の表示部を１画面として表示制御する場合にも適用することができる。また、上記の実施の形態１，２では、ヒンジ機構により筐体を開閉して２つの表示部を連結する場合について説明したが、本発明は、スライド機構を使用して表示部を連結する電子機器にも適用可能である。
【符号の説明】
【００７０】
１  携帯電子機器
１Ａ  第１筐体
１Ｂ  第２筐体
１Ｃ  隔壁
２  第１タッチパネル
２Ａ  第１タッチセンサ
２Ｂ  第１表示部
２Ｃ  第１Ｈａｐｔｉｃｓデバイス
３  第２タッチパネル
３Ａ  第２タッチセンサ
３Ｂ  第２表示部
３Ｃ  第２Ｈａｐｔｉｃｓデバイス
４  入力部
４Ａ〜４Ｄ  ボタン
５  電源部
６  通信部
８  ヒンジ機構
９  記憶部
１０  制御部
１１  ＲＡＭ
【図１】
0005777915.tif 000002
【図２】
0005777915.tif 000003
【図３】
0005777915.tif 000004
【図４】
0005777915.tif 000005
【図５】
0005777915.tif 000006
【図６】
0005777915.tif 000007
【図７】
0005777915.tif 000008